(57)【要約】      （修正有）【課題】  脚柱の下方に配線されるコード類を脚柱の外側面から宙吊り状態で配線させることなく、極力下方位置から床面に配線させることができ、テーブルの利用者等にとって脚柱の下方に配線されるコード類が邪魔にならないようにしたテーブルの配線構造を提供すること。【解決手段】  天板を支持する脚柱３に上下方向を向く溝条５を設け、この溝条５にコード類２６を挿入可能としたテーブルの配線構造において、脚柱３の下端にカバー部材７を設けるとともに、このカバー部材７の下方に脚柱３に対して上下昇降可能とした接地部材３３を設け、カバー部材７に、溝条５と連通してカバー部材７の下面もしくは下面近傍まで延設した溝部７ｂを設け、かつ、接地部材３３は、この接地部材３３が脚柱３に近づく位置をとった時にも、溝部７ｂの開口の下方に空間が生じる外形形状を有している。【選択図】  図８
2006102120.tif 000002
【特許請求の範囲】
【請求項１】
天板を支持する脚柱に上下方向を向く溝条を設け、該溝条にコード類を挿入可能としたテーブルの配線構造において、前記脚柱の下端にカバー部材を設けるとともに、該カバー部材の下方に前記脚柱に対して上下昇降可能とした接地部材を設け、前記カバー部材に、前記溝条と連通してカバー部材の下面もしくは下面近傍まで延設した溝部を設け、かつ、接地部材は、前記接地部材が前記脚柱に近づく位置をとった時にも、前記溝部の開口の下方に空間が生じる外形形状を有していることを特徴とするテーブルの配線構造。
【請求項２】
前記接地部材の外形形状を、下部から上部に向けて縮形する山状とした請求項１に記載のテーブルの配線構造。
【請求項３】
前記カバー部材の外形形状を、上部から下部に向けて縮形する逆山状とした請求項１または２に記載のテーブルの配線構造。
【請求項４】
前記カバー部材は一対の嵌入片を有し、両嵌入片が脚柱のコード類が挿入されない一対の溝条にそれぞれ嵌入固定されている請求項１乃至３のいずれかに記載のテーブルの配線構造。
【請求項５】
前記脚柱には溝条に沿って溝条と連通するコード類の挿入溝が形成されている請求項１乃至４のいずれかに記載のテーブルの配線構造。
【発明の詳細な説明】
【技術分野】
【０００１】
本発明は、天板を支持する脚柱に上下方向を向く溝条を設け、該溝条にコード類を挿入可能としたテーブルの配線構造に関する。
【背景技術】
【０００２】
従来のテーブルの配線構造では、天板上の電気機器に接続されたコード類を床面に配線させるために、天板に挿通孔を形成し、この挿通孔にコード類を挿通させ、さらに脚柱の上下の長さ方向に形成された溝条内に沿うように下方に配線させたのち、脚柱の溝条をカバー体で閉蓋して、予めカバー体の下端部の外側面に形成された切欠部からコード類を外部に延出させ、床面方向に配線させていた（特許文献１）。
【０００３】
【特許文献１】特開２００１−１２８７４７号公報（段落００２０〜段落００２３、第１図、第３図）
【発明の開示】
【発明が解決しようとする課題】
【０００４】
しかしながら、特許文献１にあっては、カバー体の下端部の外側面に形成された切欠部からコード類を外部に延出させているため、コード類の曲がりを考慮すると床面より高い位置からコード類が導出しなければならず、配線されてしまい、床面届くまでの間コード類が宙吊り状態となり、テーブルの利用者が足で引っ掛かる恐れもあり、コード類が邪魔になるという問題があった。
【０００５】
本発明は、このような問題点に着目してなされたもので、脚柱の下方に配線されるコード類を脚柱の外側面から宙吊り状態で配線させることなく、極力下方位置から床面に配線させることができ、テーブルの利用者等にとって脚柱の下方に配線されるコード類が邪魔にならないようにしたテーブルの配線構造を提供することを目的とする。
【課題を解決するための手段】
【０００６】
上記課題を解決するために、本発明の請求項１に記載のテーブルの配線構造は、天板を支持する脚柱に上下方向を向く溝条を設け、該溝条にコード類を挿入可能としたテーブルの配線構造において、前記脚柱の下端にカバー部材を設けるとともに、該カバー部材の下方に前記脚柱に対して上下昇降可能とした接地部材を設け、前記カバー部材に、前記溝条と連通してカバー部材の下面もしくは下面近傍まで延設した溝部を設け、かつ、接地部材は、前記接地部材が前記脚柱に近づく位置をとった時にも、前記溝部の開口の下方に空間が生じる外形形状を有していることを特徴としている。
この特徴によれば、天板上からのコード類が脚柱に形成された溝条に沿って下方に配線され、脚柱の下端に設けられたカバー部材の溝部に配線された後、コード類をより下方から導出できるので、コード類を溝部下方の空間から接地部材の上面に沿うように床方向へと配線させることが可能となる。したがって、コード類が脚柱の外側面から延出して宙吊りになることが防止され、脚柱の下部からの床面に近接した状態で導出でき、極力邪魔にならない配線処理が可能となる。
【０００７】
本発明の請求項２に記載のテーブルの配線構造は、請求項１に記載のテーブルの配線構造であって、前記接地部材の外形形状を、下部から上部に向けて縮形する山状としたことを特徴としている。
この特徴によれば、接地部材の外形形状を下部から上部に向けて縮形する山状としたことにより、接地部材の上面は上方から下方へ向けて傾斜が形成されるので、カバー部材の溝部から配線されたコード類を接地部材の傾斜に沿って、より低い位置で緩やかに床面まで配線することができる。さらに、接地部材が山状に形成されているので、コード類を無理に折り曲げることなく、コード類を床面のどの方向に対してでも自由に配線させることが可能である。
【０００８】
本発明の請求項３に記載のテーブルの配線構造は、請求項１または２に記載のテーブルの配線構造であって、前記カバー部材の外形形状を、上部から下部に向けて縮形する逆山状としたことを特徴としている。
この特徴によれば、カバー部材を逆山状としたことにより、溝部から導出したコード類を緩やかに湾曲させながら、接地部材の上面に沿うように折り曲げて床面方向に配線させることができ、コード類を無理な折り曲げによって傷めることが防止されている。さらに、カバー部材が逆山状に形成されているので、コード類を無理に折り曲げることなく、コード類を床面のどの方向に対してでもより自由に配線させることが可能になっている。
【０００９】
本発明の請求項４に記載のテーブルの配線構造は、請求項１乃至３のいずれかに記載のテーブルの配線構造であって、前記カバー部材は一対の嵌入片を有し、両嵌入片が脚柱のコード類が挿入されない一対の溝条にそれぞれ嵌入固定されていることを特徴としている。
この特徴によれば、カバー部材を脚柱の溝条を利用して簡易に固定できる。
【００１０】
本発明の請求項５に記載のテーブルの配線構造は、請求項１乃至４のいずれかに記載のテーブルの配線構造であって、前記脚柱には溝条に沿って溝条と連通するコード類の挿入溝が形成されていることを特徴としている。
この特徴によれば、プラグ類を直接溝条に挿入することなくコード類を溝条に挿入することができる。
【発明を実施するための最良の形態】
【００１１】
本発明の実施例を以下に説明する。
【実施例】
【００１２】
図１は、本発明の実施例におけるテーブルの全体像を示す斜視図であり、図２は、天板支持部材に設けられるコンセントユニットを示す斜視図であり、図３は、天板支持部材と脚柱の分解組立斜視図であり、図４は、天板支持部材の背面構造を示す斜視図であり、図５（ａ）は、脚柱の下端部に取り付けられるカバー部材およびアジャスタの分解組立斜視図であり、図５（ｂ）は、脚柱に取り付けられたカバー部材およびアジャスタの斜視図であり、図６（ａ）は、図３のＡ−Ａ線の断面図でありコンセントユニットを天板支持部材に取り付ける過程を示す図であり、図６（ｂ）は、コンセントユニットを天板支持部材に取り付けた断面図であり、図６（ｃ）は、コンセントユニットを天板支持部材から取り外す断面図である。
【００１３】
図７（ａ）は、天板支持部材にコンセントユニットが取り付けられた斜視図であり、図７（ｂ）は、天板支持部材に閉塞部材が取り付けられた変形例を示す斜視図であり、図７（ｃ）は、天板支持部材に通信ユニットが取り付けられた変形例を示す斜視図であり、図８（ａ）は、テーブルの配線構造の下方内側より、天板のコーナー部側を下方より見上げた斜視図であり、図８（ｂ）は、図８（ａ）のＢ−Ｂ線の断面図である。
【００１４】
このコンセント付きテーブル１（以下、テーブル１）では、後で詳述するが天板２上に載置された電気機器類に電源を供給可能となっている。そこで、本発明の実施例を図面に基づいて説明すると、図１に示されるように、テーブル１は主に上面視矩形状の天板２と、天板２の各隅部が切り欠かれたように形成されたコーナー部２ｃ下面に設けられた脚柱３（本実施例では４脚）と、この両者（天板２と脚柱３）の間に設けられた天板支持部材１０（本実施例では４つ）と、から構成されており、脚柱３の下端にはカバー部材７と高さ調整可能な接地部材であるアジャスタ３３が取り付けられ、テーブル１が安定して床面３９に載置されている。
【００１５】
テーブル１の周囲には椅子３５が複数設置され、天板２には、飲料が注がれた複数のカップＫと、電気機器であるノート型パソコン（以下、パソコン）３４が複数設置されており、それぞれのパソコン３４に接続される電源ケーブル３４ａの先端に設けられたプラグ３４ｂが、近傍に位置する各天板支持部材１０に設けられた後述するコンセントユニット２０に形成された差込口に差し込まれている。このコンセントユニット２０の背面側からは電源コード２６が脚柱３の背面に沿って延設され、電源コード２６の先端に設けられたプラグ２６ａが、壁面３６に設けられたコンセント３７に差し込まれている。
【００１６】
以下、本実施例の説明において、天板支持部材１０の外側を前方とし、天板支持部材１０の内方および背面側を後方とし、天板支持部材１０の両側方向を左右方向として説明する。
【００１７】
図２に示されるようにコンセントユニット２０は、差込口２０ｂが設けられた表面板２０ａと、表面板２０の後方に向かって延出するように形成された矩形ボックス状の嵌入部２０ｃと、嵌入部２０ｃの差込口２０ｂの反対側から延出された電源コード２６から構成され、電源コード２６の先端にはプラグ２６ａが設けられている。電源コード２６の所定間隔周りにはスパイラルバンド２９が巻き付けられている。
【００１８】
嵌入部２０ｃの上下端面の差込口２０ｂ側には、それぞれ２本の案内片２１が形成され、嵌入部２０ｃの左右端面の差込口２０ｂ反対側には、それぞれ後方から下方に向かって「く字形」に折り曲げられた係止片２３が形成され、先端部に操作部２３ａが設けられている。この係止片２３の折り曲げ近傍には、外方に突設された係合部に相当する係合凸部２５が形成されている。
【００１９】
次いで、天板２を支持する天板支持部材１０および脚柱３について詳細に説明すると、図３に示されるように、天板支持部材１０の上面には、天板２と連結可能な一対の扇状支持部１４が設けられており、扇状支持部１４の複数箇所に上下に貫通する貫通孔１５が形成され、この貫通孔１５を介してボルト２７で天板２と連結可能になっている。天板支持部材１０の下面には、下方に向けて一対の挿入片１７が延設されている。
【００２０】
天板支持部材１０の外側面には、外方を向く第１開口１２ａから内方に向かって略水平方向に通孔１２が形成され、通孔１２の内周上下面に内方に向けて摺動溝１１が形成され、コンセントユニット２０の案内片２１が摺動可能に嵌合されるようになっている。通孔１２の内方側方には上下方に向けて被係合部に相当する係合凹部１８が形成されている。通孔１２下面には下方に貫通するボルト用の貫通孔１６が形成され、通孔１２の上面には上方に貫通する開口１２ｃが連通されている。
【００２１】
脚柱３には上下に貫通する溝条５が前後左右に形成され、後方の溝条５には上下方向に挿入溝６が形成されている。脚柱３の上端部３ａと下端部３ｂにはその中央位置に螺合穴４が形成され、下端部３ｂには貫通孔７ａが形成されたカバー部材７が嵌合され、この貫通孔７ａを介して下端部３ｂの螺合穴４に向けてアジャスタ３３が取り付けられる。
【００２２】
天板支持部材１０と脚柱３の連結は、天板支持部材１０の挿入片１７を左右の溝条５に嵌合させて、脚柱３の上端部３ａに位置固定させた後、ボルト２８を天板支持部材１０の開口１２ｃから貫通孔１６に向けて挿し込み、脚柱３の螺合穴４に螺合させ締め付けることで連結が完了する。このように、ボルト２８による螺合と、挿入片１７により天板支持部材１０と脚柱３が確実に連結される。このようにして連結された天板支持部材１０と脚柱３は分離も容易であるので、脚柱３の高さの変更を行いたい場合にも、長さの違う新たな脚柱３の交換が容易に行える構成になっている。
【００２３】
そして、天板支持部材１０と脚柱３の連結完了後、コンセントユニット２０を天板支持部材１０の第１開口１２ａから通孔１２に向けて内挿可能になっている。なお、コンセントユニット２０の取り付けについては、後述において具体的に説明する。また、通孔１２にコンセントユニット２０を取り付けずに、第１開口１２ａを閉蓋する部材として、閉塞部材３２を取り付けることも可能であり、この閉塞部材３２はコンセントユニット２０と同様に表面板３２ａの後方に向かって延設された嵌入部３２ｃと、嵌入部３２ｃの表面板３２ａ側の上下端面にはそれぞれ２本の案内片３２ｅが形成され、嵌入部３２ｃの両側面に切欠き３２ｄが形成されている。
【００２４】
次いで、天板支持部材１０の背面構造について説明すると、図４に示されるように、天板支持部材１０の後方には、下方に向けて第２開口１２ｂが形成され、通孔１２に連結されている。つまり、第１開口１２ａおよび第２開口１２ｂは通孔１２を介して連結されている。第２開口１２ｂの内周面の前方両端部には、係合凹部１８が上方向に向けて形成されており、第２開口１２ｂの前端近傍から前方斜め下方に向けて配線溝１９が形成され、電源コード２６が案内可能となっている。この第２開口１２ｂには、閉塞部材３２の切欠き３２ｄが前後方向を向く状態で、通孔１２内に嵌入部３２ｃを圧入させることで取り付け可能になっている。
【００２５】
天板支持部材１０の後端上部には、後方に突設された連結部１３が形成され、連結部１３の中央位置に前後に貫通する連結孔１３ａが形成されている。ボルト２７を第２開口１２ｂから連結孔１３ａを介して、連結部１３の螺合穴４５ａに螺合させることで、連結部１３に後述する連結部材４５が接続される。
【００２６】
次いで、脚柱３の下端部３ｂに設けられたカバー部材７およびアジャスタ３３の取り付けについて具体的に説明すると、図５に示されるように、カバー部材７には、上部から下部に向けて縮形する逆山状の凸設部７ｅが形成されており、中央位置に上下に貫通する貫通孔７ａが形成され、左右上面端には一対の嵌入片７ｄ、７ｄが上方に突設されている。
【００２７】
この凸設部７ｅには、脚柱３の上下方向に形成された溝条５と連通する溝部７ｂが下面に向けて形成され、溝部７ｄの外側面側には、脚柱３に形成された挿入溝６と並んで開口７ｃが形成されている。接地部材に相当するアジャスタ３３には、下部から上部向けて縮形する山状の凸設部３３ｂが形成されており、凸設部３３ｂの中央位置からネジが形設された軸３３ａが上方に延設されている。
【００２８】
そこで、カバー部材７に設けられた一対の嵌入片７ｄ、７ｄを脚柱３に設けた左右の溝条５の下端部３ｂにそれぞれ嵌合させて、カバー部材７を脚柱３に取り付けることができ、アジャスタ３３の軸３３ａをカバー部材７の貫通孔７ａに貫通させたのち、さらに脚柱３の螺合穴４に螺合させることで、アジャスタ３３を脚柱３に取り付けることができる。
【００２９】
このカバー部材７およびアジャスタ３３を脚柱３に取り付けた状態が、図５（ｂ）に示されており、カバー部材７の逆山状の凸設部７ｅおよびアジャスタ３３の山状の凸設部３３ｂにより、溝部７ｂの開口７ｃの下方側に空間が確保され、この空間に向かって溝条５内に配線される電源コード２６を導出する。また、脚柱３にアジャスタ３３が螺合されていることから、アジャスタ３３の回動により、天板２を所望の水平位置に調整可能となっている。
【００３０】
以上のように、接地部材であるアジャスタ３３の凸設部３３ｂを上方に向けて縮形する山状に形成としたことにより、凸設部３３ｂの上面には、上方から下方へ向けて傾斜が形成され、カバー部材７の溝部７ｂから配線された電源コード２６をその傾斜に沿って、より低い位置で緩やかに曲げられて床面まで配線することができる。
【００３１】
また、カバー部材７を逆山状としたことにより、溝部から導出したコード類を湾曲させながら、接地部材の上面に沿うように折り曲げて床面方向に配線させることができ、コード類を無理な折り曲げによって傷めることが防止されている。さらに、カバー部材が逆山状に形成されているので、コード類を床面のどの方向に対してでもより自由に配線させることが可能になっている。
【００３２】
次に、コンセントユニット２０を天板支持部材１０に取り付ける過程を具体的に説明すると、図６（ａ）に示されるように、コンセントユニット２０が矢印に示される方向に、天板支持部材１０の第１開口１２ａから通孔１２に向けて内挿されると、係合凸部２５が通孔１２の内周面に当接され係止片２３が内方に撓みながら、徐々に通孔１２内に嵌入部２０ｃが内挿されていく。
【００３３】
そして、図６（ｂ）に示されるように、コンセントユニット２０の表面板２０ａが第１開口１２ａの前端面に当接される位置まで内挿されることにより、左右の係止片２３に形成された係合凸部２５がそれぞれ通孔１２に形成された係合凹部１８に嵌合され、係止片２３の撓みが解除されることで、天板支持部材１０にコンセントユニット２０が位置固定され、コンセントユニット２０の取り付けが完了する。なお、嵌入部２０ｃの上下面に形成された案内片２１が第１開口１２ａの近傍に形成された摺動溝１１（図３参照）に摺動可能に嵌合されるので、コンセントユニット２０全体のがたつきが防止される。
【００３４】
天板支持部材１０からコンセントユニット２０を取り外すには、係止片２３の後端に位置する左右の操作部２３ａを利用者の指等で第２開口１２ｂ側より、図６（ｂ）の矢印に示される方向に押圧させることにより、係合凹部１８と係合凸部２５の嵌合状態を解除させることができ、図６（ｃ）に示されるように、コンセントユニット２０を矢印に示された方向に引き出すことができる。なお、コンセントユニット２０の内挿時と同様に引き出し時にも、係合凸部２５が通孔１２の内周面に当接されて係止片２３が内方に撓むので、取り出し時に引っ掛かりを生じさせることなく、取り出し作業を円滑に行うことができる。
【００３５】
図７（ａ）に示されるように、天板支持部材１０にコンセントユニット２０が取り付けられると、差込口２０ｂおよび表面板２０ａの外表面が天板支持部材１０の外表面と面一になることにより、プラグ差し込み時の突出が極力避けられ、且つ面一となった面を脚柱３の外表面とも面一とすることも可能で、美感に優れたテーブル脚を提供できる。
【００３６】
図７（ｂ）は、天板支持部材１０の第１開口１２ａに前述した閉塞部材３２が取り付けられた変形例であり、閉塞部材３２の表面板３２ａによって、第１開口１２ａが閉蓋され、天板支持部材１０の外表面と面一になることから見栄えを損ねず、コンセントユニット２０を必要としないテーブルとしても利用可能となり、また、閉塞部材３２を取り外してコンセントユニット２０に交換するだけで、いつでもコンセント付きテーブル１に変更できる。
【００３７】
図７（ｃ）は、天板支持部材１０の第１開口１２ａに通信ユニット４１を取り付けた変形例であり、表面板４１ａの中央部にＬＡＮケーブル等を接続可能な差込口４１ｂが設けられている。なお、通信ユニット４１の天板支持部材１０からの着脱は、上記したコンセントユニット２０と略同様のため説明を割愛する。このように、本発明において、電源供給用のコンセントユニット２０や通信接続用の通信ユニット４１等に限定されることなく、各種接続用コンセントユニットに対しても対応可能である。
【００３８】
コンセントユニット２０の背面側に接続される電源コード２６の配線について説明すると、図８（ａ）に示されるように、配線コード２６は天板支持部材１０の第２開口１２ｂで反転して配線溝１９に沿って下方向に配線され、脚柱３の上端部３ａから下端部３ｂに延び、カバー部材７およびアジャスタ３３の近傍から図示しない床面に沿って配線されている。
【００３９】
このように、コンセントユニット２０が通孔１２内に取り付けられた状態では、差込口２０ｂの反対側である後端面が第２開口１２ｂから僅かに差込口２０ｂ側に寄った位置にあり、コンセントユニット２０の後端面から第２開口１２ｂの間に空間部が形成されている。したがって、電源コード２６を第２開口１２ｃの空間部を利用して、自由な方向に配線自在となる。
【００４０】
天板支持部材１０の第２開口１２ｃには、コンセントユニット２０の使用により取り外された閉塞部材３２が取り付けられ、嵌入部３２ｃの上下に形成された切欠き３２ｄ内に電源コード２６を配線させ、下方に向けて電源コード２６が配線されている。下方に配線された電源コード２６は図８（ｂ）に示されるように、脚柱３の背面側に形成された挿入溝６に嵌入され溝条５内に内挿されており、配線コード２６の外周に巻き付けられたスパイラルバンド２９によって、安易に電源コード２６が挿入溝６から抜け出ることのない構成になっている。また、挿入溝６より電源コード２６だけを溝条５内に内挿すればよく、プラグ２６ａは溝条５内を通す必要がないので、配線作業が楽である。
【００４１】
以上の説明により実施例では、電源コード２６が脚柱３に形成された溝条５に沿って下方に配線され、脚柱３の下端に設けられたカバー部材７の溝部７ｂ下方の空間から接地部材であるアジャスタ３３の上面に沿うように床３９方向へと配線させることが可能になるため、電源コード２６が脚柱３の外側面から延出して宙吊りになることが防止され、脚柱３の下部からの床面３９方向への配線が極力邪魔にならない配線処理が可能となり、テーブル１を利用する利用者の手や足に引っ掛かることがなく安全性が高められている。
【００４２】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、接地部材であるアジャスタ３３の上面を山状に傾斜させ凸設部３３ｂを形成し、カバー部材７の下面を逆山状に傾斜させて凸設部７ｅを形成することで、配線空間が形成されるので電源コード２６を無理に折り曲げることなく、床面３９のどの方向に対してでも配線可能になっていることから好ましいが、本発明はこれに限定されるものではなく、アジャスタ３３およびカバー部材７を山状あるいは逆山状とせず、電源コード２６が導出する部分だけ外側に空間部が形成されるようにテーパ状に構成しても良い。また、カバー部材７に形成した溝部７ｂは、実施例ではカバー部材７の下面近傍まで延びているが、下面まで延長させたものでも構わない。
【図面の簡単な説明】
【００４３】
【図１】本発明の実施例におけるテーブルの全体像を示す斜視図である。
【図２】天板支持部材に設けられるコンセントユニットを示す斜視図である。
【図３】天板支持部材と脚柱の分解組立斜視図である。
【図４】天板支持部材の背面構造を示す斜視図である。
【図５】（ａ）は、脚柱の下端部に取り付けられるカバー部材およびアジャスタの分解組立斜視図であり、（ｂ）は、脚柱に取り付けられたカバー部材およびアジャスタの斜視図である。
【図６】（ａ）は、図３のＡ−Ａ線の断面図でありコンセントユニットを天板支持部材に取り付ける過程を示す図であり、（ｂ）は、コンセントユニットを天板支持部材に取り付けた断面図であり、（ｃ）は、コンセントユニットを天板支持部材から取り外す断面図である。
【図７】（ａ）は、天板支持部材にコンセントユニットが取り付けられた斜視図であり、（ｂ）は、天板支持部材に閉塞部材が取り付けられた変形例を示す斜視図であり、（ｃ）は、天板支持部材に通信ユニットが取り付けられた変形例を示す斜視図である。
【図８】（ａ）は、テーブルの配線構造の下方内側より、天板のコーナー部側を下方より見上げた斜視図であり、（ｂ）は、図８（ａ）のＢ−Ｂ線の断面図である。
【符号の説明】
【００４４】
１                テーブル（コンセント付きテーブル）
２                天板
２ａ              上面
２ｂ              下面
２ｃ              コーナー部
３                脚柱
３ａ              上端部
３ｂ              下端部
４                螺合穴
５                溝条
６                挿入溝
７                カバー部材
７ａ              貫通孔
７ｂ              溝部
７ｃ              開口
７ｄ              嵌入片
７ｅ              逆山状の凸設部
１０              天板支持部材
１１              摺動溝
１２              通孔
１２ａ            第１開口
１２ｂ            第２開口
１９              配線溝
２０              コンセントユニット
２０ａ            表面板
２０ｂ            差込口
２０ｃ            嵌入部
２６              電源コード（コード類）
２６ａ            プラグ
２７、２８        ボルト
２９              スパイラルバンド
３３              アジャスタ（接地部材）
３３ａ            軸
３３ｂ            山状の凸設部
３４              パソコン（電気機器）
３４ａ            電源ケーブル（コード類）
３４ｂ            プラグ
３５              椅子
３６              壁面
３７              コンセント
３９              床面
【図１】
2006102120.tif 000003
【図２】
2006102120.tif 000004
【図３】
2006102120.tif 000005
【図４】
2006102120.tif 000006
【図５】
2006102120.tif 000007
【図６】
2006102120.tif 000008
【図７】
2006102120.tif 000009
【図８】
2006102120.tif 000010